【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
遊技機の所定位置に設けられ、当該遊技機の近傍に磁石が接近したことを示す検出信号を出力する磁気検出装置と、
前記磁気検出装置からの検出信号に基づいて不正が行われた可能性を判断可能な検知制御部と、
前記磁気検出装置と前記検知制御部とを電気的に接続する接続ハーネスと、を備えた遊技機であって、
前記磁気検出装置には、
磁石が近づくとオフ状態からオン状態になる磁気検出部と、
この磁気検出部の検出出力に応じてオン状態又はオフ状態に変化するトランジスタと、
前記接続ハーネスを介して前記検知制御部と電気的に接続する接続端子部と、を有し、
前記接続端子部は、
前記磁気検出部に電源を供給する電源供給用の電源接続部と、
前記磁気検出部の基準電位用のＧＮＤ接続部と、
前記検出信号を出力する出力端子部と、を備え、
前記トランジスタの出力部と前記出力端子部とをダイオードを介して電気的に接続することにより、前記出力端子部からの出力電圧値が、前記ダイオードにより、前記電源接続部を介して供給される電源電圧よりも低く、前記基準電位よりも高い中間電圧値として出力されるように構成されており、
前記検知制御部は、
前記接続ハーネスを介して入力された検出信号が、前記中間電位の電圧値である場合には磁石が近接していないと判断し、
前記接続ハーネスを介して入力された検出信号が、前記電源接続部の電圧値である場合には磁石が近接したこと及び前記接続ハーネスの断線・短絡のいずれか一方による異常が検出されたことと判定し、
前記接続ハーネスを介して入力された検出信号が、前記基準電位の電圧である場合には前記断線・短絡の他方の異常が検出されたことと判定することを特徴とする遊技機。
【請求項２】
遊技機の所定位置に設けられ、当該遊技機の近傍に磁石が接近したことを示す検出信号を出力する磁気検出装置と、
前記磁気検出装置からの検出信号に基づいて不正が行われた可能性を判断可能な検知制御部と、
前記磁気検出装置と前記検知制御部とを電気的に接続する接続ハーネスと、を備えた遊技機であって、
前記磁気検出装置には、
磁石が近づくとオフ状態からオン状態になる磁気検出部と、
この磁気検出部の検出出力に応じてオン状態又はオフ状態に変化するトランジスタと、
前記接続ハーネスを介して前記検知制御部と電気的に接続する接続端子部と、を有し、
前記接続端子部は、
前記磁気検出部に電源を供給する電源供給用の電源接続部と、
前記磁気検出部の基準電位用のＧＮＤ接続部と、
前記検出信号を出力する出力端子部と、を備え、
前記トランジスタの出力部と前記出力端子部とをダイオードを介して電気的に接続することにより、前記出力端子部からの出力電圧値が、前記ダイオードにより、前記電源接続部を介して供給される電源電圧よりも低く、前記基準電位よりも高い中間電圧値として出力されるように構成されており、
前記検知制御部は、
前記接続ハーネスを介して入力された検出信号が、前記中間電位の電圧値である場合には磁石が近接していないと判断し、
前記接続ハーネスを介して入力された検出信号が、前記基準電位の電圧である場合には磁石が近接したこと及び前記接続ハーネスの断線・短絡のいずれか一方による異常が検出されたことと判定し、
前記接続ハーネスを介して入力された検出信号が、前記電源接続部の電圧値である場合には前記断線・短絡の他方の異常が検出されたことと判定することを特徴とする遊技機。
【請求項３】
前記ダイオードは定電圧ダイオードであることを特徴とする請求項１又は２記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、磁石を用いた不正入賞動作を検知するパチンコ機等の遊技機に関し、特に詳細には、磁気センサー回路部と検知制御部とを接続する接続ハーネス部の断線及び短絡を合わせて検知することができる遊技機に関する。
【手続補正４】
【補正対象書類名】明細書
【補正対象項目名】０００４
【補正方法】変更
【補正の内容】
【０００４】
本発明はこのような課題に鑑みてなされたものであり、一つの出力端子で磁石検出の信号と磁気センサー及び検出回路の間の接続異常の信号とを出力することができる遊技機を提供することを目的とする。
【手続補正５】
【補正対象書類名】明細書
【補正対象項目名】０００５
【補正方法】変更
【補正の内容】
【０００５】
前記課題を解決するために、第１の本発明に係る遊技機は、遊技機の所定位置に設けられ、当該遊技機の近傍に磁石が接近したことを示す検出信号を出力する磁気検出装置と、前記磁気検出装置からの検出信号に基づいて不正が行われた可能性を判断可能な検知制御部と、前記磁気検出装置と前記検知制御部とを電気的に接続する接続ハーネスと、を備えた遊技機であって、前記磁気検出装置には、磁石が近づくとオフ状態からオン状態になる磁気検出部と、この磁気検出部の検出出力に応じてオン状態又はオフ状態に変化するトランジスタと、前記接続ハーネスを介して前記検知制御部と電気的に接続する接続端子部と、を有し、前記接続端子部は、前記磁気検出部に電源を供給する電源供給用の電源接続部と、
前記磁気検出部の基準電位用のＧＮＤ接続部と、前記検出信号を出力する出力端子部と、を備え、前記トランジスタの出力部と前記出力端子部とをダイオードを介して電気的に接続することにより、前記出力端子部からの出力電圧値が、前記ダイオードにより、前記電源接続部を介して供給される電源電圧よりも低く、前記基準電位よりも高い中間電圧値として出力されるように構成されており、前記検知制御部は、前記接続ハーネスを介して入力された検出信号が、前記中間電位の電圧値である場合には磁石が近接していないと判断し、前記接続ハーネスを介して入力された検出信号が、前記電源接続部の電圧値である場合には磁石が近接したこと及び前記接続ハーネスの断線・短絡のいずれか一方による異常が検出されたことと判定し、前記接続ハーネスを介して入力された検出信号が、前記基準電位の電圧である場合には前記断線・短絡の他方の異常が検出されたことと判定することを特徴とする。
【手続補正６】
【補正対象書類名】明細書
【補正対象項目名】０００６
【補正方法】変更
【補正の内容】
【０００６】
また、第２の本発明に係る遊技機は、遊技機の所定位置に設けられ、当該遊技機の近傍に磁石が接近したことを示す検出信号を出力する磁気検出装置と、前記磁気検出装置からの検出信号に基づいて不正が行われた可能性を判断可能な検知制御部と、前記磁気検出装置と前記検知制御部とを電気的に接続する接続ハーネスと、を備えた遊技機であって、前記磁気検出装置には、磁石が近づくとオフ状態からオン状態になる磁気検出部と、この磁気検出部の検出出力に応じてオン状態又はオフ状態に変化するトランジスタと、前記接続ハーネスを介して前記検知制御部と電気的に接続する接続端子部と、を有し、前記接続端子部は、前記磁気検出部に電源を供給する電源供給用の電源接続部と、前記磁気検出部の基準電位用のＧＮＤ接続部と、前記検出信号を出力する出力端子部と、を備え、前記トランジスタの出力部と前記出力端子部とをダイオードを介して電気的に接続することにより、前記出力端子部からの出力電圧値が、前記ダイオードにより、前記電源接続部を介して供給される電源電圧よりも低く、前記基準電位よりも高い中間電圧値として出力されるように構成されており、前記検知制御部は、前記接続ハーネスを介して入力された検出信号が、前記中間電位の電圧値である場合には磁石が近接していないと判断し、前記接続ハーネスを介して入力された検出信号が、前記基準電位の電圧である場合には磁石が近接したこと及び前記接続ハーネスの断線・短絡のいずれか一方による異常が検出されたことと判定し、前記接続ハーネスを介して入力された検出信号が、前記電源接続部の電圧値である場合には前記断線・短絡の他方の異常が検出されたことと判定することを特徴とする。
【手続補正７】
【補正対象書類名】明細書
【補正対象項目名】０００７
【補正方法】変更
【補正の内容】
【０００７】
このような第１及び第２の本発明に係る遊技機において、前記ダイオードは定電圧ダイオードであることが好ましい。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
本発明に係る遊技機を以上のように構成すると、接続ハーネス部の接続異常として、リード線の断線・抜き取りだけでなく、短絡も検出することができ、また、一つの端子で磁石検出及び接続異常の信号を出力することができる。